【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
撮像手段と、
この撮像手段が逐次撮像する撮像範囲内の画像を表示する表示手段と、
前記撮像手段の撮像画角を光学的に変化させる光学ズーム手段と、
前記撮像手段の撮像範囲を制御することで撮像画角を変化させる電子ズーム手段と、
前記表示手段に表示される撮像範囲における被写体範囲を維持した状態で、ズームを指示する指示手段と、
この指示手段によってズームが指示されると、前記被写体範囲の大きさを略同一に維持したまま背景部分が変化するように前記光学ズーム手段及び前記電子ズーム手段を制御するズーム制御手段と、
を備えたことを特徴とする撮像装置。
【請求項２】
前記撮像範囲を任意に設定する設定手段と、
この設定手段により設定された撮像範囲における垂直方向又は水平方向の所定の画素数分の画素値を加算する画素加算手段と、
この画素加算手段により加算される画素値の画素加算数を、前記ズーム制御手段により制御された電子ズーム倍率に基づき制御する加算数制御手段と、
を更に備えたことを特徴とする請求項１記載の撮像装置。
【請求項３】
撮像部と、前記撮像部の撮像画角を光学的に変化させる光学ズーム部と、前記撮像手段の撮像範囲を制御することで撮像画角を変化させる電子ズーム部とを備える撮像装置の撮像画像表示方法であって、
この撮像部にて逐次撮像される撮像範囲内の画像を表示部に表示させる表示ステップと、
前記表示ステップにて表示される撮像範囲における被写体範囲を維持した状態で、ズームの指示を検出する指示検出ステップと、
この指示検出ステップによるズームの指示を検出すると、前記被写体範囲の大きさを略同一に維持したまま背景部分が変化するように前記光学ズーム部及び前記電子ズーム部を制御するズーム制御ステップと、
を含むことを特徴とする撮像画像表示方法。
【請求項４】
撮像部と、前記撮像部の撮像画角を光学的に変化させる光学ズーム部と、前記撮像手段の撮像範囲を制御することで撮像画角を変化させる電子ズーム部とを備える撮像装置が有するコンピュータを、
この撮像部にて逐次撮像される撮像範囲内の画像を表示部に表示させる表示制御手段、
前記表示制御手段によって表示される撮像範囲における被写体範囲を維持した状態で、ズーム指示を検出する指示検出手段、
この指示検出手段によってズームの指示を検出すると、前記被写体範囲の大きさを略同一に維持したまま背景部分が変化するように前記光学ズーム部及び前記電子ズーム部を制御するズーム制御手段、
として機能させることを特徴とするプログラム。
【手続補正２】
【補正対象書類名】明細書
【補正対象項目名】発明の名称
【補正方法】変更
【補正の内容】
【発明の名称】撮像装置、撮像画像表示方法、及び、プログラム
【手続補正３】
【補正対象書類名】明細書
【補正対象項目名】０００１
【補正方法】変更
【補正の内容】
【０００１】
本発明は、光学ズームと電子ズームとを備えた撮像装置、撮像画像表示方法、及び、プログラムに関するものである。
【手続補正４】
【補正対象書類名】明細書
【補正対象項目名】０００７
【補正方法】変更
【補正の内容】
【０００７】
本発明は、かかる従来の課題に鑑みてなされたものであり、光学ズームの特性を生かした撮影技法を用いた撮影を簡単に行えるようにすることを目的とする。
【手続補正５】
【補正対象書類名】明細書
【補正対象項目名】０００８
【補正方法】変更
【補正の内容】
【０００８】
前記課題を解決するために請求項１の発明にあっては、撮像手段と、この撮像手段が逐次撮像する撮像範囲内の画像を表示する表示手段と、前記撮像手段の撮像画角を光学的に変化させる光学ズーム手段と、前記撮像手段の撮像範囲を制御することで撮像画角を変化させる電子ズーム手段と、前記表示手段に表示される撮像範囲における被写体範囲を維持した状態で、ズームを指示する指示手段と、この指示手段によってズームが指示されると、前記被写体範囲の大きさを略同一に維持したまま背景部分が変化するように前記光学ズーム手段及び前記電子ズーム手段を制御するズーム制御手段と、を備えたものとした。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】変更
【補正の内容】
【００１８】
また、請求項２の発明にあっては、上記請求項１記載の発明において、前記撮像範囲を任意に設定する設定手段と、この設定手段により設定された撮像範囲における垂直方向又は水平方向の所定の画素数分の画素値を加算する画素加算手段と、この画素加算手段により加算される画素値の画素加算数を、前記ズーム制御手段により制御された電子ズーム倍率に基づき制御する加算数制御手段と、を更に備えたものとした。
【手続補正１６】
【補正対象書類名】明細書
【補正対象項目名】００１９
【補正方法】変更
【補正の内容】
【００１９】
また、請求項３の発明にあっては、撮像部と、前記撮像部の撮像画角を光学的に変化させる光学ズーム部と、前記撮像手段の撮像範囲を制御することで撮像画角を変化させる電子ズーム部とを備える撮像装置の撮像画像表示方法であって、この撮像部にて逐次撮像される撮像範囲内の画像を表示部に表示させる表示ステップと、前記表示ステップにて表示される撮像範囲における被写体範囲を維持した状態で、ズームの指示を検出する指示検出ステップと、この指示検出ステップによるズームの指示を検出すると、前記被写体範囲の大きさを略同一に維持したまま背景部分が変化するように前記光学ズーム部及び前記電子ズーム部を制御するズーム制御ステップと、を含むこととした。
【手続補正１７】
【補正対象書類名】明細書
【補正対象項目名】００２０
【補正方法】変更
【補正の内容】
【００２０】
また、請求項４の発明にあっては、撮像部と、前記撮像部の撮像画角を光学的に変化させる光学ズーム部と、前記撮像手段の撮像範囲を制御することで撮像画角を変化させる電子ズーム部とを備える撮像装置が有するコンピュータを、この撮像部にて逐次撮像される撮像範囲内の画像を表示部に表示させる表示制御手段、前記表示制御手段によって表示される撮像範囲における被写体範囲を維持した状態で、ズーム指示を検出する指示検出手段、 この指示検出手段によってズームの指示を検出すると、前記被写体範囲の大きさを略同一に維持したまま背景部分が変化するように前記光学ズーム部及び前記電子ズーム部を制御するズーム制御手段、として機能させるものとした。
【手続補正１８】
【補正対象書類名】明細書
【補正対象項目名】００２１
【補正方法】削除
【補正の内容】